(57)【要約】【課題】放送局から提供される過去のコンテンツのみならず、現在又はこれから始まるコンテンツを、ユーザの嗜好性にあった番組表を作成し、これを用いてユーザが閲覧することができるコンテンツ配信装置及びコンテンツ配信システムを得ることを目的とする。【解決手段】ホームネットワークのサーバを形成してクライアントにコンテンツを配信するコンテンツ配信装置１において、放送局より配信されるコンテンツを受信するチューナ部２４と、インターネット上に配信されるコンテンツを受信する通信部１０と、前記チューナ部２４及び前記通信部１０で受信したコンテンツを記憶する記憶部２５と、を備え、所定のジャンル別に分類される複数の配信用チャンネルの番組表を、前記チューナ部により受信するコンテンツと、前記記憶部に記憶したコンテンツとを時系列に並べて形成してクライアントに送信し、ユーザにより選局された前記配信用チャンネルのコンテンツをクライアント６に配信する。【選択図】図１
2011199708.tif 000002
【特許請求の範囲】
【請求項１】
ホームネットワークのサーバを形成してクライアントにコンテンツを配信するコンテンツ配信装置において、
放送局より配信されるコンテンツを受信するチューナ部と、
インターネット上に配信されるコンテンツを受信する通信部と、
前記チューナ部及び前記通信部で受信したコンテンツを記憶する記憶部と、
を備え、所定のジャンル別に分類される複数の配信用チャンネルの番組表を、前記チューナ部により受信するコンテンツと、前記記憶部に記憶したコンテンツとを時系列に並べて形成してクライアントに送信し、ユーザにより選局された前記配信用チャンネルのコンテンツをクライアントに配信することを特徴とするコンテンツ配信装置。
【請求項２】
複数の前記チューナ部を備え、同じ時間帯に放送局により配信されるコンテンツを同時に前記記憶部へ記憶し、
同じ時間帯に放送局により配信されるコンテンツに基づき配信用チャンネルの番組表を作成することを特徴とする請求項１に記載のコンテンツ配信装置。
【請求項３】
請求項１又は２に記載のコンテンツ配信装置と、
前記コンテンツ配信装置から前記番組表と、前記番組表に基づくコンテンツと、を受信するクライアントと、
からなることを特徴とするコンテンツ配信システム。
【請求項４】
前記クライアントから前記番組表を設定することを特徴とする請求項３に記載のコンテンツ配信システム。
【発明の詳細な説明】
【技術分野】
【０００１】
本発明はコンテンツ配信装置及びコンテンツ配信システムに関する。
【背景技術】
【０００２】
近年、ユーザの嗜好性にあうマルチメディアなどのコンテンツを、大容量のＤＶＤやハードディスクへ録画するホームサーバが利用されるようになってきた。このようなホームサーバでは、図５に示すように放送局から提供される公開された番組表を基づき番組単位でコンテンツが蓄積される。
【０００３】
しかしながら、ユーザは必ずしも公開された番組表、例えば、ＥＰＧ（電子番組表）などでは、チャンネルのコンテンツ（番組内容）が様々であり、ユーザが所望のスポーツ用チャンネルやニュースチャンネルといったユーザの嗜好性にあう形では公開されていない。このため、嗜好性にあった所望のコンテンツを得るために、チャンネルを時間とともに変更して、コンテンツをホームサーバへ記憶する。そして、ユーザがホームサーバへ記憶するコンテンツは、内容的及び時間的に分散化されることになる。
【０００４】
このようなコンテンツを管理する技術が開示されている（特許文献１乃至３）。
【先行技術文献】
【特許文献】
【０００５】
【特許文献１】特開２００７−２１５１７０号公報
【特許文献２】特開２００７−１８１１９２号公報
【特許文献３】特開２００３−３７８０２号公報
【発明の概要】
【発明が解決しようとする課題】
【０００６】
しかしながら、上記特許文献１乃至３記載の技術では、分散されたコンテンツを管理できるものの、放送局から提供される番組表はそのまま利用する必要がある。また、分散されたコンテンツを纏めるものの、再度ユーザ側で検索することが必要である。さらに、上記特許文献では放送された過去のコンテンツが対象である。このため、記憶された過去のコンテンツだけでなく、現在又はこれから始まるコンテンツを、ユーザの嗜好性にあった番組表し、これを用いて閲覧することができないという問題があった。
【０００７】
この発明は上記のような課題を解決するためになされたもので、記憶された過去のコンテンツだけでなく、現在又はこれから始まるコンテンツを、ユーザの嗜好性にあった番組表し、これを用いてユーザが閲覧することができるコンテンツ配信装置及びコンテンツ配信システムを得ることを目的とする。
【課題を解決するための手段】
【０００８】
上記課題を解決するために、本発明に係るコンテンツ配信装置は、ホームネットワークのサーバを形成してクライアントにコンテンツを配信するコンテンツ配信装置において、放送局より配信されるコンテンツを受信するチューナ部と、インターネット上に配信されるコンテンツを受信する通信部と、前記チューナ部及び前記通信部で受信したコンテンツを記憶する記憶部と、を備え、所定のジャンル別に分類される複数の配信用チャンネルの番組表を、前記チューナ部により受信するコンテンツと、前記記憶部に記憶したコンテンツとを時系列に並べて形成してクライアントに送信し、ユーザにより選局された前記配信用チャンネルのコンテンツをクライアントに配信することを特徴とする。
【０００９】
この構成によると、コンテンツ配信装置は、放送局より配信されるコンテンツを受信するチューナ部と、インターネット上に配信されるコンテンツを受信する通信部と、前記チューナ部で受信したコンテンツを記憶する記憶部と、を備える。そして、ユーザが所望する所定のジャンル別に分類される複数の配信用チャンネルの番組表を、前記チューナ部により受信するコンテンツと、前記記憶部に記憶したコンテンツとを時系列に並べて形成する。
【００１０】
また、本発明は、上記構成のコンテンツ配信装置において、複数の前記チューナ部を備え、同じ時間帯に放送局により配信されるコンテンツを同時に前記記憶部へ記憶し、同じ時間帯に放送局により配信されるコンテンツに基づき配信用チャンネルの番組表を作成することを特徴とする。
【００１１】
この構成によると、コンテンツ配信装置は複数の前記チューナ部を備えたので、同じ時間帯に放送局により配信されるコンテンツを同時に前記記憶部へ記憶する。そして、同じ時間帯に放送局により配信されるコンテンツに基づき配信用チャンネルの番組表を作成する。
【００１２】
また、本発明に係るコンテンツ配信システムは、前記コンテンツ配信装置と、前記コンテンツ配信装置から前記番組表と、前記番組表に基づくコンテンツと、を受信するクライアントと、からなることを特徴とする。
【００１３】
また、本発明に係るコンテンツ配信システムは、前記クライアントから前記番組表を設定することを特徴とする。
【発明の効果】
【００１４】
本発明によると、コンテンツ配信装及びコンテンツ配信システムは、ユーザが所望の複数の配信用チャンネルを効率的に決定することができる。従って、利便性のよいコンテンツ配信装置及びコンテンツ配信システムを提供することができる。
【図面の簡単な説明】
【００１５】
【図１】本発明に係るコンテンツ配信装置を用いたコンテンツ配信システムの説明図である。
【図２】本発明に係るコンテンツ配信装置の機能ブロック図である。
【図３】本発明に係るコンテンツ配信装置及びクライアントから番組表を作成するフローチャートである。
【図４】本発明に係るコンテンツ配信装置及びクライアントから作成される配信用チャンネルの番組表の一例である。
【図５】従来からある放送局により提供される番組表の一例である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
まず図１を参照しながら、本実施形態に係るコンテンツ配信装置１の利用形態について簡単に説明する。図１は、本実施形態に係るコンテンツ配信装置１を用いたコンテンツ配信システムの一構成例を示す説明図である。
【００１８】
コンテンツ配信装置１の一例としては、ホームサーバとしてのデジタルテレビ、パーソナルコンピュータ、ハードディスクレコーダ（ＰＶＲ；Ｐｅｒｓｏｎａｌ Ｖｉｄｅｏ Ｒｅｃｏｒｄｅｒ）、テレビチューナ、セットトップボックス（ＳＴＢ；Ｓｅｔ Ｔｏｐ Ｂｏｘ）、携帯電話、携帯型情報端末（ＰＤＡ；Ｐｅｒｓｏｎａｌ Ｄｉｇｉｔａｌ Ａｓｓｉｓｔａｎｔｓ）、ゲーム機、携帯音楽デバイス、プリンタ、又は情報家電等のコンテンツ配信装置などが含まれる。もちろん、本実施形態に係るコンテンツ配信装置１は、これらの形態に限定されるものではなく、情報処理機能を有する任意のコンテンツ配信装置が対象に含まれる。
【００１９】
図１に示すように、このコンテンツ配信装置１（ホームサーバ）の遠隔操作用のリモートコントローラ５が設置されている。また、コンテンツ配信装置１やテレビ受像機６（クライアント）は、ハブ７に配線接続されて設置されている。尚、図１の例は、ホームネットワークを想定したものである。
【００２０】
ホームネットワークに備えられている機器は、例えば、ＤＬＮＡ（Ｄｉｇｉｔａｌ Ｌｉｖｉｎｇ Ｎｅｔｗｏｒｋ Ａｌｌｉａｎｃｅ）ガイドラインに準拠しており、ＬＡＮ（Ｌｏｃａｌ Ａｒｅａ Ｎｅｔｗｏｒｋ）を介して相互に情報の送受信が可能となっている。
【００２１】
ハブ７は、アンテナ８を備えており無線通信が可能である。また、このハブ７は、外部のインターネット通信網や電話回線網などの広域通信網ＮＥＴに回線接続されている。
【００２２】
壁面などに取付けられているテレビ受像機６（クライアント）は、スピーカを備えており、映像表示・音声出力を行う。また、テレビ受像機６（クライアント）はユーザが所定の操作をすることで、コンテンツ配信装置１に対して、配信用チャネルの番組表を受信し、選択した配信用チャネルのコンテンツを受信する。さらに後述するように、テレビ受像機６（クライアント）はコンテンツ配信装置１に対して、配信用チャネルの番組表の設定及び変更が可能である。
【００２３】
コンテンツ配信装置１は、通信部１０を備えている。さらにまた、このコンテンツ配信装置１は、後述するように、リモートコントローラ５から無線送信されて、設定変更される。また、コンテンツ配信装置１は映像音声データを取り込むためのデジタルメディアプレイヤ（たとえばＤＬＮＡクライアント）を搭載している。
【００２４】
また、コンテンツ配信装置１は、例えばＳＤ（Secure Digital）メモリカード、ＭＭＣ（Multimedia Card）及びメモリスティック等のメモリカード１１が着脱可能となっている。  
【００２５】
また、このコンテンツ配信装置１は、ＬＡＮ（Local Area Network）端子１２、ＵＳＢ（Universal Serial Bus）端子１３及びｉ．ＬＩＮＫ端子１４を備えている。
【００２６】
ＬＡＮ端子１２は、イーサネット（登録商標）を用いた一般的なＬＡＮ対応ポートとして使用されるもので、例えばハブ７を介して、テレビ受像機６等の機器を接続し、これらの機器と情報伝送を行うために使用される。情報伝達は有線通信であっても、無線通信であっても可能である。
【００２７】
ＵＳＢ端子１３は、一般的なＵＳＢ対応ポートとしてデータの転送に使用されるものである。ｉ．ＬＩＮＫ端子１４は、例えば図示しないハードディスクレコーダ等をシリアル接続し、これらの機器と情報伝送を行うために使用される。
【００２８】
リモートコントローラ５は、コンテンツ配信装置１の電源のオン・オフ、後述する複数の配信用チャンネルの番組表の設定及び変更が可能である。さらに、ＩＰアドレスの設定、音声ボリュームの増減なども行う。
【００２９】
また、リモートコントローラ５は、信号処理部、メモリ、複数の操作スイッチを含む操作部、液晶パネルなどを用いて文字その他の画像表示が可能とされた表示部、赤外線通信部、無線通信部、およびマイクを有している。
【００３０】
図２は、コンテンツ配信装置１の構成の一例を示すブロック図である。コンテンツ配信装置１は、制御部２３と、通信部１０と、チューナ２４と、記憶部２５と、メモリ２６と、リモコン受信部２７と、ＭＰＥＧデコーダ２８と、グラフィック部２９と、を有している。また、チューナ２４には複数のチューナＡ２４Ａ、チューナＢ２４Ｂ，チューナＣ２４Ｃとを有している。
【００３１】
制御部２３は、図示されていないＣＰＵを有しており、ＣＰＵ上ではＯＳが動作する。制御部２３が通信部１０やグラフィック部２９等のハードウェアをコントロールするときはＯＳに含まれるデバイスドライバが使われる。
【００３２】
チューナ２４は、チューナ用アンテナ（不図示）で受信されたテレビ信号から所定の帯域幅（チャンネル）の信号を選択し、ＭＰＥＧ等の規格によって符号化されたビットストリームを出力する。ＭＰＥＧデコーダ２８はビットストリームを画像データに復号する。
【００３３】
また、ＭＰＥＧデコーダ２８では、ＭＰＥＧ規格に対応した多重化を行う。例えば、復号及び出力（表示）のタイミング基準となるＰＣＲまたはＳＣＲ、復号後の各フレームの出力タイミングを示すＰＴＳ、復号のタイミングを示すＤＴＳを機能する。
【００３４】
リモコン受信部２７は、リモートコントローラ５からの要求信号を受信する。
【００３５】
グラフィック部２９は、グラフィックカードとディスプレイコントローラを含み、復号された画像データをアナログ信号に変換して図示しないディスプレイに送る。なお、ＭＰＥＧは一例であって、画像は例えばＨ．２６４等の規格によって符号化されてもよい。
【００３６】
また、チューナ２４は複数のチューナＡ２４Ａ、チューナＢ２４ｂ、チューナＣ２４Ｃを備えており、放送局から配信される同じ時間帯の複数チャンネルの信号を同時に受信できる。即ち、同じ時間帯で違うコンテンツを同時に取得可能となる。なお、チューナの数は一例であって、これに限られる訳ではない。
【００３７】
記憶部２５は、例えば、ハードディスクやフラッシュメモリ等で構成されており書き換え可能である。記憶部２５には、放送局により配信され、チューナ２４から受信したコンテンツを記憶する。さらに、インターネット上に配信されるコンテンツを通信部１０から受信し、記憶する。
【００３８】
また記憶部２５は、関係データベース (Relational Database)という方式によって記憶されていてもよい。例えば、コンテンツに対してＩＤを付加し、これをプライマリキーとして管理すれば、複数のデータ群が関係（リレーション）と呼ばれる構造で相互連結可能である。関係論理演算を行うことで所望結果を高速に取り出すことができ、これにより効率のよい検索方法が実現できる。
【００３９】
通信部１０は、有線ではなく、無線ＬＡＮ用アンテナが接続されていてもよい。通信部１０は、図示されていない組み込みＣＰＵとファームウェアを含んでいる。
【００４０】
上記のような構成において、コンテンツ配信装置１はニュースやスポーツなどの所定のジャンル別に分類される複数の配信用チャンネルの番組表を、前記チューナ部により受信するコンテンツと、前記記憶部に記憶したコンテンツとを時系列に並べて形成してテレビ受像機６（クライアント）に送信する。そして、ユーザにより選局された前記配信用チャンネルのコンテンツをテレビ受像機６（クライアント）に配信する。
【００４１】
次に上記のような構成において、コンテンツ配信装置１（ホームサーバ）又はテレビ受像機６（クライアント）が番組表を設定する制御について図３を用いて説明する。
【００４２】
ステップＳ１では、コンテンツ配信装置１で番組表を設定するかを判定する。コンテンツ配信装置１で設定する場合にはステップＳ２へ移行する。テレビ受像機６で設定する場合にはステップＳ３へ移行する。
【００４３】
ステップＳ２では、コンテンツ配信装置１で番組表を設定する。コンテンツ配信装置１で直接設定を行ってもよく、また、リモートコントローラ５から設定してもよい。設定画面の表示はコンテンツ配信装置１のグラフィック部２９から筐体に備えるディスプレイ（不図示）の画面を表示してもよいし、ＵＳＢ端子１３から他のディスプレイへ接続してもよい。
【００４４】
ステップＳ３では、テレビ受像機６（クライアント）からコンテンツ配信装置１で番組表を設定する。テレビ受像機６で直接設定を行ってもよく、また、付属のリモートコントローラ（不図示）から設定してもよい。
【００４５】
ステップＳ４では、コンテンツ配信装置１がテレビ受像機６へ配信するための配信用チャンネルの番組表を設定するため、コンテンツ配信装置１は設定モードへと切替する。
【００４６】
ステップＳ５では、配信用チャネルの番組表のタイトルを作成する。例えば、図４へ示すようにスポーツＣＨやＮＥＷＳ  ＣＨや農業ＣＨなどと作成する。タイトル数やタイトル名はこれに限られず、自由に増減できる。本実施形態では、まずはスポーツＣＨを設定する。
【００４７】
ステップＳ６では、番組表のコンテンツと放送時間を設定する。例えば、図４のスポーツＣＨを設定する場合には、図５の８チャンネル（８ＣＨ）で放送中のオリンピックを１４時まで設定する。１４時から１５時からは、図５の番組表に記載のように４チャンネル（４ＣＨ）で放送中のオリンピックのコンテンツを選択する。さらに、１５時からは、インターネットの水泳の動画を選択する。
【００４８】
ステップＳ７では、ステップＳ６で時系列にコンテンツを設定されているので、その設定されたコンテンツを取得する必要があるか否か、時間帯毎に判定される。コンテンツを取得する必要がある場合にはステップＳ８へ移行し、取得する必要がない場合はステップＳ１２へ移行する。コンテンツを取得する必要がない場合には、ステップＳ１２へ移行する。例えば、図４のスポーツＣＨで設定されるＣＨ８放送中のオリンピックのコンテンツでは、現在放送中なので、コンテンツを記憶部２５へ記憶する必要はない。
【００４９】
ステップＳ８では、取得の必要なコンテンツは放送局のコンテンツか否か判定される。放送局のコンテンツの場合にはステップＳ９へ移行する。放送局ではなく、インターネット上に配信されているコンテンツの場合には、ステップＳ１０へ移行する。
【００５０】
ステップＳ９では、チューナ２４から放送局により配信されるコンテンツを取得する。例えば、図４のスポーツＣＨでは４チャンネル（４ＣＨ）で放送されるオリンピックのコンテンツを取得する。また、図２のようにコンテンツ配信装置１は複数のチューナ２４を備えているため、同時に複数の放送局により配信されるコンテンツを取得することが可能である。
【００５１】
ステップＳ１０では、通信部１０からインターネットで配信されているコンテンツを取得する。例えば、「ＹｏｕＴｕｂｅ」のような一般的な動画共有サイトからコンテンツを取得する。
【００５２】
ステップＳ１１では、ステップＳ９やステップＳ１０で取得したコンテンツを記憶部２５へ記憶する。コンテンツを記憶部２５へ記憶する。記憶する際には、コンテンツだけでなく、放送のチャンネル、放送時間、コンテンツのデータ形式、ジャンルなどを記憶する。一旦、記憶部２５へ記憶されれば、コンテンツ配信装置１は同じコンテンツを取得する必要はない。このため、ユーザから記憶されたコンテンツの配信要求があれば、クライアントへ配信することができる。
【００５３】
ステップＳ１２では、ステップＳ６のコンテンツと放送時間の設定によって、決定された内容に基づき、次のコンテンツがあるか判定される。次のコンテンツがある場合にはステップＳ７へ移行し、次のコンテンツがもうない場合には、ステップＳ１３へ移行する。
【００５４】
例えば、図４に示すようにスポーツＣＨで１３：００〜１４：００まで、８ＣＨで放送中のオリンピックのコンテンツが設定されたが、１４：００以降もコンテンツを提供する必要がある。このため、１４：００以降のコンテンツがある場合には、ステップＳ７へ移行し、コンテンツの取得の必要か否かを再度判定される。同様に、図４のでは、１５：００以降にも、次のコンテンツがあるため、再度ステップＳ７へ移行しコンテンツの取得の必要か否かを再度判定される。
【００５５】
ステップＳ１３では、番組表の設定が完了し、フローチャートを終了する。
【００５６】
上記のように番組表の設定が完了すると、ユーザにより選局された配信用チャンネルのコンテンツをクライアントの要求に応じて配信することができる。
【００５７】
上記のように、ホームネットワークのサーバを形成してクライアントにコンテンツを配信するコンテンツ配信装置１において、放送局より配信されるコンテンツを受信するチューナ部２４と、インターネット上に配信されるコンテンツを受信する通信部１０と、前記チューナ部２４及び前記通信部１０で受信したコンテンツを記憶する記憶部２５と、を備え、所定のジャンル別に分類される複数の配信用チャンネルの番組表を、前記チューナ部により受信するコンテンツと、前記記憶部に記憶したコンテンツとを時系列に並べて形成してクライアントに送信し、ユーザにより選局された前記配信用チャンネルのコンテンツをクライアントに配信することを特徴とするコンテンツ配信装置することで、ユーザが所望の複数の配信用チャンネルを効率的に決定することができる。従って、ユーザに嗜好性の嗜好性を担保するとともに、利便性のよいコンテンツ配信装置を提供することができる。
【００５８】
また本発明によると、複数の前記チューナ部２４を備え、同じ時間帯に放送局により配信されるコンテンツを同時に前記記憶部２５へ記憶し、同じ時間帯に放送局により配信されるコンテンツに基づき配信用チャンネルの番組表を作成することで、同じ時間帯に放送のコンテンツを同時に取得することができる。このため、ユーザが所望の複数の配信用チャンネルを効率的に決定することができる。従って、ユーザに嗜好性の嗜好性を担保するとともに、利便性のよいコンテンツ配信装置を提供することができる。
【００５９】
また本発明によるコンテンツ配信システムでは、前記コンテンツ配信装置１と、前記コンテンツ配信装置から前記番組表と、前記番組表に基づくコンテンツと、を受信するクライアント６と、からなるので、ユーザが所望の複数の配信用チャンネルを効率的に決定することができるシステムを提供することができる。
【００６０】
また本発明によるコンテンツ配信システムでは、前記クライアント６から前記番組表を設定するため、利便性がさらに向上する。
【００６１】
本発明は、上述した実施形態に限定されない。本発明に係るコンテンツ配信装置１の各部の具体的な構成は、種々に設計変更可能である。例えば、ステップＳ６にてコンテンツと放送時間の設定を行うが、記憶部２５に記憶されたコンテンツをユーザがキーワードによって抽出することができる。これにより、コンテンツと放送時間の設定を効率よく行うことができる。
【００６２】
さらにまた、ステップＳ６にてコンテンツと放送時間の設定を行うが、ユーザが所望コンテンツが無い場合には、他のコンテンツを繰り返しても良い。
【００６３】
また、記憶部２５へ記憶されているコンテンツには、ドラマ、スポーツ、音楽というようにジャンルごとに分類してもよい。さらに各ジャンル内ではサブジャンルを設けるというディレクトリ構造を取ることによって、ユーザがコンテンツを見つけ易いようにしてもよい。
【００６４】
さらにまた、ホームネットワークの通信はＬＡＮ環境だけではなく、ＨＤＭＩ（High Definition Multimedia Interface）ケーブルの接続であってもよい。また、無線ＬＡＮの場合、ＩＥＥＥ８０２．１１ａ／ｂ／ｇ又はＩＥＥＥ８０２．１１ｎであってもよく、また非圧縮でデータを送ることができるＷＨＤＩ（Wireless High-Definition Interface）であってもよい。ＡＴＡ（アドバンスド・テクノロジー・アタッチメント）やＢｌｕｅｔｏｏｔｈであってもよい。
【００６５】
また、コンテンツ配信装置１（ホームサーバ）からテレビ受像機６（クライアント）への通信は、例えばコンテンツがＭＰＥＧなどの場合には、コンテンツの切り替えをスムースに行くために、ＰＣＲ/ＰＴＳ/ＤＴＳが不連続にならないように付け替えてもよい。また、ビットレートの高いコンテンツを配信する場合には、トランスコードしてからビットレートを下げたり、解像度の低いコンテンツを配信する際には、超解像技術をつかって解像度を高くしてもよい。これにより、ネットワークの負荷やクライアントの環境に配慮することができる。
【符号の説明】
【００６６】
１    コンテンツ配信装置（ホームサーバ）
５    リモートコントローラ
６    テレビ受像機（クライアント）
７    ハブ
１０  通信部
１１  メモリカード
１２  ＬＡＮ（Local Area Network）端子
１３  ＵＳＢ（Universal Serial Bus）端子
１４  ｉ・ＬＩＮＫ端子
２３  制御部
２４  チューナ
２５  記憶部
２６  メモリ
２７  リモコン受信部
２８  ＭＰＥＧデコーダ
２９  グラフィック部
【図１】
2011199708.tif 000003
【図２】
2011199708.tif 000004
【図３】
2011199708.tif 000005
【図４】
2011199708.tif 000006
【図５】
2011199708.tif 000007